(57)【要約】本発明は１次プーリと、２次プーリからなる無段変速機に関し、それぞれのプーリは、径方向に湾曲したシーブ面を持つ２つの円錐形のプーリシーブを有し、シーブ面は、シーブ面を取り巻く溝を画定し、その溝の中に無端変速機ベルト（１１）が可変な径方向位置で支持され；１次プーリの第１シーブと２次プーリの第１シーブとの相対的軸方向位置は、変速機ベルトが最大の力を１次プーリから２次プーリに転送可能である最大力変速比より小さい変速比で変速機が作動している場合に、第１中心線と第２中心線とがアライメントから外れるように配置される。【選択図】図１
2012513570.tif 000002
【特許請求の範囲】
【請求項１】
無段可変変速機であって、
駆動シャフト（５）に係合された１次プーリ（１）と、被駆動シャフト（１０）に係合された２次プーリ（６）とからなり、
それぞれの前記プーリは、径方向に湾曲したシーブ面（１４−１７）を持つ２つの円錐形のプーリシーブ（２，３；７，８）を有し、
前記シーブ面は、前記シーブ面の周縁からなる溝を画定し、
前記溝の中に無端変速機ベルト（１１）が可変な径方向位置で支持され；
前記１次プーリ（１）は、前記駆動シャフトに固定された第１シーブ（２）と、前記駆動シャフトに対し軸方向に可動な第２シーブ（３）とを有し、それにより前記第１シーブと前記第２シーブは第１中心線（１２）を持つ溝を取り囲み；
前記２次プーリ（６）は、前記被駆動シャフトに固定された第１シーブ（７）と、前記被駆動シャフトに対し軸方向に可動な第２シーブ（８）とを有し、それにより前記２つのシーブは第２中心線（１３）を持つ湾曲した溝を取り囲み；
ここにおいて前記駆動シャフト（５）と前記被駆動シャフト（１０）は、ある径方向距離離れて軸方向に平行に位置し、
ここにおいて前記１次プーリ（１）の前記第１シーブと前記２次プーリ（６）の前記第１シーブとの相対的軸方向位置は、前記変速機ベルト（１１）が最大の力を前記１次プーリ（１）から前記２次プーリ（６）に伝達可能である最大力変速比（トップ）より小さい変速比で変速機が作動している場合に、前記第１中心線と前記第２中心線とがアライメントから外れており、
前記変速比（ｉ）は、前記１次プーリ内の前記無端変速機ベルト（１１）の前記被駆動シャフトからの径方向距離に対する前記２次プーリ内の前記無端変速機ベルト（１１）の前記駆動シャフトからの径方向距離として定義される、
ことを特徴とする変速機。
【請求項２】
前記１次プーリ（１）の前記第１シーブ（２）と前記２次プーリ（６）の前記第１シーブ（７）との相対的軸方向位置は、全ての変速比において前記第１中心線と前記第２中心線とがアライメントから外れるような位置にある、ことを特徴とする請求項１に記載の変速機。
【請求項３】
前記１次プーリ（１）の前記第１シーブ（２）と前記２次プーリ（６）の前記第１シーブ（７）との相対的軸方向位置は、前記変速比が最小変速比から前記最大力変速比（トップ）に向かって増加するに従って、前記アライメントのずれの量が減少するような位置にある、ことを特徴とする請求項１又は２に記載の変速機。
【請求項４】
前記変速機がアライメントから外れている場合、前記１次プーリの前記シーブ面の周縁からなる溝の前記中心線と前記２次プーリの前記シーブ面の周縁からなる溝の前記中心線の間の相対的軸方向偏移の値が閾値を超える、ことを特徴とする請求項１−３のいずれかに記載の変速機。
【請求項５】
オーバードライブ変速比と前記最大力変速比（トップ）との間の変速比領域で作動する場合、前記１次プーリの前記第１シーブと前記２次プーリの前記第１シーブとの相対的軸方向位置は、前記第１中心線と前記第２中心線が閾値より大きい値だけアライメントを外れるような位置にある、ことを特徴とする請求項１−４のいずれかに記載の変速機。
【請求項６】
前記閾値は約０．０５ｍｍであり、好適には０．１ｍｍである、ことを特徴とする請求項４又は５に記載の変速機。
【請求項７】
前記変速機がアライメントから外れている場合、前記１次プーリの前記シーブ面の周縁からなる溝の前記中心線と前記２次プーリの前記シーブ面の周縁からなる溝の前記中心線の間の相対的軸方向偏移の値が約０．７５ｍｍ以下である、ことを特徴とする請求項１−６のいずれかに記載の変速機。
【請求項８】
少なくとも前記最大力変速比（トップ）において、前記相対的軸方向偏移が約０．４ｍｍ以下である、ことを特徴とする請求項７に記載の変速機。
【請求項９】
前記駆動シャフト上の前記固定シーブと前記可動シーブの軸方向位置関係は、前記被駆動シャフト上の前記固定シーブと前記可動シーブの軸方向位置関係と逆の関係にある、ことを特徴とする請求項１−８のいずれかに記載の変速機。
【請求項１０】
前記無端変速機ベルト（１１）は、横断要素（２８）を有し、前記横断要素は、前記駆動ベルトの引張要素に沿って移動可能に保持され、少なくとも前記変速機の作動中に、前記横断要素の横側面の場所において前記１次プーリ（１）と前記２次プーリ（６）の前記プーリシーブの間に順番にクランプされる、ことを特徴とする請求項１−９のいずれかに記載の変速機。
【発明の詳細な説明】
【技術分野】
【０００１】
本発明は、駆動シャフトに係合した１次プーリと被駆動シャフトに係合した２次プーリとからなり、それぞれのプーリは、周縁の溝を画定する傾斜したシーブ面を持つ２つの円錐形プーリシーブを有し、前記溝の中に無端変速機ベルトが可変の径方向位置において保持される、無段（連続可変）変速機に関するものである。
【背景技術】
【０００２】
このタイプの変速機の設計及び動作は、例えば特許文献１において周知であり、その文献は無端変速機ベルトの１つの公知のタイプを記載している。この無端変速機ベルトはファンドーネルズプッシュベルトとして一般的に知られ、例えば特許文献２に詳細に記載されている。
【０００３】
このような無段変速機の更なる事例は、特許文献３に開示されている。この特に自動車用に意図された公知の変速機では、所望の変速比が、一方のプーリのＶ字型溝が広がり、他方のプーリのＶ字型溝が狭まるように、同時に１次プーリと２次プーリのＶ字型溝の幅を変化させることにより調整可能である。この結果無端変速機ベルトの径方向位置が両方のプーリで変化し、それにより変速比が変化する。無端変速機ベルトの径方向位置の変化は、無端変速機ベルトの軸方向の偏移を伴う。
【０００４】
一般的に１次プーリにおける無端変速機ベルトの軸方向の偏移は、２次プーリにおけるそれとは、変速機の幾何学的構成と無端変速機ベルトの固定された長さに起因して同一ではない。その結果無端変速機ベルトは、特定の変速比又は変速機ベルトがアライメントされる２−３の変速比、即ち、１次プーリと２次プーリのＶ字型溝の中心が一直線上に配置される変速比、を除き常にアライメントから外れる。
【０００５】
前述の特許文献３は更に、アライメントから外れることは、変速機と無端変速機ベルトの負荷と寿命の観点から望ましくないと教えている。本発明の仕様において、１：１即ち中間変速比において、中間変速比と，変速機により提供される最大の変速比（ｉ＝ｉｍａｘ）即ちロー変速比と，の中間において本質的に中央線のアライメントが起こるように、１次プーリのＶ字型溝の中心を２次プーリのＶ字型溝に対して相対的に、２次プーリの可動ディスクの方向に既定の距離だけ軸方向に偏移させることにより、発生する最大のアライメントずれの値を制限することが提案されている。
【０００６】
しかし、既知のプーリアライメントの修正が、変速機全体とそれとは別の無端変速機ベルトの両方の負荷と寿命に不十分な効果しかもたらさないため、異なるプーリアライメントの修正が特許文献４で提案されている。この文献では１次プーリの中心線の軸方向偏移の距離は、所謂「トップ」変速比即ち、作動中１次プーリから２次プーリに最大の力が伝達される変速比（ｉ）でアライメントが起こるように設定される。このことは、動作寿命の大部分において作動中の変速機が、中間変速比（ｉ＝１）と変速機に提供される最小変速比（ｉ＝ｉｍｉｎ，即ちオーバードライブ変速比；変速比（ｉ）は無端変速機ベルトの１次プーリにおける駆動シャフトからの径方向距離に対する無端変速機ベルトの２次プーリにおける被駆動シャフトからの径方向距離により定義される）との間の変速比にあり，そしてこの範囲特に上記「トップ」変速比でのアライメントが、変速機と無端変速機ベルトに改善された負荷パターンとより長い寿命をもたらす、ということが判ったため実施された。
【０００７】
上記の従来技術の変速機では、それぞれのプーリは直線的なシーブ面（即ち、シーブ面は径方向に対し一定の鋭角で伸長する）を持つプーリシーブからなる。しかし近年の無段可変変速機の開発によって、変速機ベルト、詳細にはプッシュベルトがその間に挟まれるプーリシーブ、の表面は曲面であり、例えば凸面に曲がったプーリシーブ面をもつプーリシーブが適用されている。一般的にプーリシーブ面は、１次プーリのシーブ面の間に形成される溝と２次プーリのシーブ面の間に形成される溝との間のアライメントのずれを最小化し、完全に除去するという観点で、径方向に曲がっている。適切に設計された場合、シーブ面の曲面はアライメントのずれを減少させる。しかし、変速機ベルト、特にプッシュベルトタイプの変速機ベルトの横断要素の摩耗、及び／又はプーリシーブ面の摩耗は、曲面のプーリシーブ面を持つ後者のタイプの変速機設計に関して問題であり、その寿命を短くすることが判った。
【先行技術文献】
【特許文献】
【０００８】
【特許文献１】欧州特許  ＥＰ１２１８６５４Ｂ１
【特許文献２】欧州特許  ＥＰ１２２１５６３Ａ１
【特許文献３】米国特許  ＵＳ４５９６５３６
【特許文献４】欧州特許  ＥＰ０２９１１２９Ａ１
【発明の概要】
【０００９】
本発明の１つの目的は、曲面のプーリシーブ面を持つ無段可変変速機を更に開発することである。
本発明の更なる目的は、より長寿命の、摩耗し難い改良された無段可変変速機を提供することである。
本発明の第１の局面によれば、本発明の上記目的の少なくとも１つは、
無段可変変速機であって、
駆動シャフトに係合された１次プーリと、被駆動シャフトに係合された２次プーリとからなり、
それぞれのプーリは、径方向に湾曲したシーブ面を持つ２つの円錐形のプーリシーブを有し、
シーブ面は、シーブ面の周縁からなる溝を画定し、
溝の中に無端変速機ベルトが可変な径方向位置で支持され；
１次プーリは、駆動シャフトに固定された第１シーブと、駆動シャフトに対し軸方向に可動な第２シーブとを有し、それにより第１シーブと第２シーブは第１中心線を持つ溝を取り囲み；
２次プーリは、被駆動シャフトに固定された第１シーブと、被駆動シャフトに対し軸方向に可動な第２シーブとを有し、それにより２つのシーブは第２中心線を持つ湾曲した溝を取り囲み；
ここにおいて駆動シャフトと被駆動シャフトは、ある径方向距離離れて軸方向に平行に位置し、
ここにおいて１次プーリの第１シーブと２次プーリの第１シーブとの相対的軸方向位置は、変速機ベルトが最大の力を１次プーリから２次プーリに伝達可能である最大力変速比より小さい変速比で変速機が作動している場合に、第１中心線と第２中心線とはアライメントから外れており、
変速比は、１次プーリ内の無端変速機ベルトの被駆動シャフトからの径方向距離に対する２次プーリ内の無端変速機ベルト（１１）の駆動シャフトからの径方向距離として定義される、
ことを特徴とする変速機、において達成される。
【００１０】
上記の従来技術は、耐摩耗性を改良し、変速機ベルトとプーリの寿命を延長するため、１次プーリと２次プーリの中心線の間のアライメントのずれを防止することを教授しているが、本発明の局面によれば、変速機の作動中に最も頻繁に使用される変速比の範囲において、及び／又はベルトが最大の負荷を印加され、即ち、変速機が最大力変速比（「トップ」）より小さな（及び最小変速比（オーバードライブ）より大きい）変速比で作動する場合において、プーリは意図的にアライメントから外される。変速機は例えば中間変速比、即ち、無端変速機ベルトの１次プーリにおける駆動シャフトからの径方向距離と無端変速機ベルトの２次プーリにおける被駆動シャフトからの径方向距離が等しい無端変速機ベルトの位置、でアライメントされてよい。
【００１１】
発明者は驚くべきことに、特定の条件下では１次プーリと２次プーリのアライメントを維持することは、変速機ベルトの、より詳細には、横断要素の、及び／又はプーリシーブの、摩耗の減少よりむしろ増加につながることを発見した。この摩耗の増加の原因は完全には判明していない。可能性のある１つの説明は、アライメントされた状態で走行する変速機ベルトの横断要素は、プーリの可動シーブの接触面と固定シーブの接触面に同時に、又は少なくとも極端に速い継承で接触するという事実によって、摩耗の増加をもたらすという説明である。変速機ベルトの１つ以上の横断要素の僅かな偏移、又は回転した位置、例えば横断要素の変速機ベルトの中心に対する小さな軸方向偏移、及び／又は横断要素の変速機ベルトの径方向及び／又は長手（径）方向に対する小さな回転、は幾分瞬間的なものであり、可動と固定の両方のプーリシーブの接触面によって強制的に修正される。横断要素のこのような偏移と回転した位置が上記接触により完全には修正されず、溝内に位置しプーリシーブによりクランプされている時にでも、アライメントされない位置にある、ことさえ起こり得る。このことは比較的大きな摩擦力をもたらし、特に変速機ベルトを寿命より長く使用した場合、摩耗のレベルを増大させる原因となりうる。
【００１２】
駆動ベルト内に発生した増大した摩耗は、一定の、典型的には１１°の角度のプーリシーブ面と横断要素のプーリ接触面を備える従来技術による設計の変速機ベルトには存在しない（又は有意に少ない）ことを述べておく。このような従来技術による変速機ベルトでは、横断要素とプーリシーブ面の間に点接触よりはむしろ線接触が存在する。横断要素とプーリシーブ面の間の線接触は、横断要素を、少なくとも長手方向に対して自動的にアライメントさせる。
【００１３】
更に駆動ベルト内に発生した増大した摩耗はまた、変速機チェーンには存在しない（又は有意に少ない）。一般的に変速機チェーンには、チェーンの他の部分に対し軸方向に偏移し又は回転するタイプの横断要素が存在しない。
【００１４】
また更に発明者は、変速機ベルトがアライメントから外れた状態で作動する場合、変速機ベルト及び／又は変速機のプーリの摩耗が有意に減少することを発見した。これは恐らく、走行する変速機ベルトの１つ以上の横断要素のこのような僅かな偏移又は回転は、シーブの接触面の一方だけに接触するようになった横断要素により、初めのうちは修正される、という現象に起因する。横断要素の位置は、この片方での接触により、横断要素が他方の接触面とも接触する前に、従ってプーリのシーブ間にしっかりとクランプされる前に、より徐々に修正される。
【００１５】
好ましい実施形態では、変速機は、１次プーリの第１シーブと２次プーリの第１シーブとの相対的軸方向位置により、変速比が最小変速比から最大力変速比（トップ）に向かって増加するに従ってアライメントのずれが減少するように設計される。この実施形態では、最大力の変速比（「トップ」）でのアライメントのずれは比較的小さい。このことは特に変速機ベルトが最大限度まで負荷を掛けられた場合の変速比において、一方では上記の耐摩耗性を向上させ、他方では変速機ベルトの耐負荷性能を増大させる。
【００１６】
ある実施形態では、変速機が１：１変速比（「中間」）より小さな変速比で作動する場合、第１プーリの第１シーブと第２プーリの第１シーブの相対的軸方向位置は、第１中心線と第２中心線がアライメントからずれている位置にある。この実施形態では、変速機ベルトの速度、従って摩耗レベルが高くなるリスク、が比較的大きいこれらの変速比では、変速機はアライメントされない。従って変速機ベルト及び／又はシーブの摩耗は更に減少可能である。
【００１７】
ある実施形態では、１次プーリの第１シーブと２次プーリの第１シーブとの相対的軸方向位置は、全ての変速比においてアライメントから外れている、即ち最小変速比又はオーバードライブと、ここにおいて１次プーリの無端変速機ベルトの駆動シャフトからの径方向距離は最大であり、２次プーリの無端変速機ベルトの被駆動シャフトからの径方向距離は最小であり、最大変速比又はローと、ここにおいて１次プーリの無端変速機ベルトの駆動シャフトからの径方向距離は最小であり、２次プーリの無端変速機ベルトの被駆動シャフトからの径方向距離は最大であり、の間の可能な全ての変速比に対してアライメントから外れている。どのような変速比でも完全なアライメントは起こらない。最大変速比（ロー）でも変速機はアライメントからずれたままである。
従ってこの実施形態では、変速機ベルトの横断要素の偏移及び／又は回転によりもたらされた摩耗の減少は、最小変速比（オーバードライブ）と最大変速比（ロー
との間の変速比で達成できる。
【００１８】
ある実施形態では、変速機がアライメントから外れている場合、１次プーリのシーブ面の周縁からなる溝の中心線と２次プーリのシーブ面の周縁からなる溝の中心線の間の相対的軸方向偏移は、閾値を超える寸法である。
更なる実施形態では、閾値は約０．０５ｍｍであり、また別の実施形態では約０．１ｍｍである。アライメントのずれがこの閾値より小さい場合、変速機ベルトの横断要素の偏移又は回転位置は十分に修正されない可能性が有り、従って摩耗のレベルは比較的大きいままである。しかし、アライメントのずれがこの閾値を超えると、横断要素の偏移又は回転位置はより良く修正されるため、明確な（更なる）摩耗レベルの減少が存在する。
【００１９】
ある実施形態では、変速機がアライメントからずれている場合、１次プーリのシーブ面の周縁からなる溝の中心線と２次プーリのシーブ面の周縁からなる溝の中心線の間の相対的軸方向偏移は約０．７５ｍｍ以下である。少なくとも最大力変速比（トップ）において、この相対的軸方向偏移は約０．４ｍｍ以下である。
本発明の実施形態では、変速機ベルトは、駆動ベルトの引張要素に沿って可動可能に保持され、少なくとも変速機の作動中、順番に第１プーリと第２プーリのプーリシーブの間でクランプされる、横断要素を有するプッシュベルト型変速機ベルトである。
【図面の簡単な説明】
【００２０】
本発明の更なる利点、特性及び詳細は以下の好適な実施形態の記載により明確になるであろう。記載においては以下の図が参照される。
【図１】本発明による、アライメント修正幅がＣの中間位置の無段可変変速機の概略図である。
【図２Ａ】既存技術による実施形態の、横断要素の正面図である。
【図２Ｂ】図２Ａにおける２つの連続する横断要素の側面図である。
【図３】変速機が第１の実施形態に従ってアライメントされた場合の、変速機のアライメントずれ（Ｓ）の傾向を変速比（ｉ）の関数として示す図である。
【図４】変速機が第２の実施形態に従ってアライメントされた場合の、変速機のアライメントずれ（Ｓ）の傾向を変速比（ｉ）の関数として示す図である。
【図５】変速機が第３の実施形態に従ってアライメントされた場合の、変速機のアライメントずれ（Ｓ）の傾向を変速比（ｉ）の関数として示す図である。
【図６】変速機が第４の実施形態に従ってアライメントされた場合の、変速機のアライメントずれ（Ｓ）の傾向を変速比（ｉ）の関数として示す図である。
【図７】変速機が第５の実施形態に従ってアライメントされた場合の、変速機のアライメントずれ（Ｓ）の傾向を変速比（ｉ）の関数として示す図である。
【発明を実施するための形態】
【００２１】
図１の無段可変変速機は、駆動シャフト５、例えば自動車又は他の車両の駆動シャフト、に係合する１次プーリ１を有する。１次プーリ１は、シャフト５に固定された１つの第１円錐形円板又はシーブ２と、シャフト上を軸方向に移動可能な第２円錐形円板又はシーブ３を有する。軸方向に可動な円板３は、シャフト５に固定されたプレート４と共に、密閉されたシリンダ室４’を有するシリンダ−ピストン組立体を形成する。変速機１はまた、駆動される（被駆動）シャフト１０を伴う２次プーリ６を有する。２次プーリ６は、シャフト１０に固定された１つの円錐形円板又はシーブ７と、シャフト上を軸方向に移動可能な１つの円錐形円板又はシーブ８を有する。軸方向に可動な円板８は、シャフト１０に固定されたプレート９と共に、密閉されたシリンダ室９’を有するシリンダ−ピストン組立体を形成する。
【００２２】
それぞれのシーブ２−５の円錐シーブ傾斜面１４−１７は断面で見て湾曲している、より詳細には、径方向に凸面をなしている。
さらにシャフト５と１０は、既定の径方向距離だけ離れて軸方向に平行に配置される。１次プーリ１と２次プーリ６の円錐形シーブは、それぞれ溝を取り囲み、その中に無端変速機ベルト１１が配置される。無端変速機ベルト１１は、従来型のプッシュベルトでよい。従来型のプッシュベルトの例を図２に示す。プッシュ型変速機ベルトは、横断要素２８及び１つの無端キャリア２９からなる。横断要素は、そのキャリアに沿って滑動自由に配置され、先き細りの径方向内側の要素部分３０と、ノッチ状突起２０を持つ前側主要面１８と穴状窪み２１を持つ後側主要面１９とを有する、径方向に傾斜した要素部分３１と、前側主要面と後側主要面との遷移部分を形成し、隣り合う横断要素が相互に揺動縁２２の接触線２６の周りを回転する揺動縁２２と、からなる。前側主要面１８から伸長するノッチ状突起２０は、穴状窪み２１と相互作用し、２つの隣接する横断要素２８を整列させ、配置する。横断要素２８は更に、横方向側面２７を有し、それは作動中１次プーリと２次プーリのそれぞれのシーブ１４−１７にクランプされかつ摩擦接触する。
【００２３】
無段変速機の変速比は、２次プーリ６の溝内の無端変速機ベルト１１の径方向位置と、１次プーリ１の溝内の無端変速機ベルト１１の径方向位置との間の比率に依存する。詳細には、変速比は、ベルトと２次プーリ６のシャフト１０の中心線との距離（Ｒ２）をベルトと１次プーリ１のシャフト５の中心線との距離（Ｒ１）で除した値で定義される。
【００２４】
変速機の変速比は、一方のプーリの溝の幅を増加させ、他方のプーリの溝の幅を減少させることにより、変更可能である。その後、無端変速機ベルト１１は溝内を径方向に移動し、その結果、変速比が変更される。溝の拡大と縮小は通常、シリンダ室４´内の油圧媒体の制御圧を減少又は増大させることにより行われ、一方シリンダ室９´では、それぞれ高めの及び低めの引張圧が油圧媒体により印加される。圧は十分な引張力が常に無端変速機ベルト１１に印加されることを確実にする。
【００２５】
上記のように、変速機の特定の幾何学的構成、詳細には、プーリのシーブの形状は、無端変速機ベルト１１が径方向に移動した場合、ベルトに軸方向の偏移をもたらす。
一般的に、無端変速機ベルトの軸方向偏移は１次プーリ１と２次プーリ６で異なり、無端変速機ベルトは、変速機がアライメントされる変速比、即ち、１次プーリ１の溝の中心線１２が２次プーリ６の溝の中心線１３と一直線上に並ぶ変速比を除き、常にアライメントから外れる。
【００２６】
本発明の第１の実施形態における、変速比（ｉ）の関数としてのアライメントずれ量Ｓを表わす曲線４０の１つの事例が図３に示される。図３は、変速比（ｉ）が、最小変速比又はオーバードライブ比から、変速機で伝達される力が最大のトップ変速比を経由し、ベルト１１とシャフト５の中心線の距離とベルト１１とシャフト１０の中心線の径方向距離が等しい、中間変速比を経由し、ローとも呼ばれる最大変速比までの値をとることを示す。線４１はアライメント線であり、１次プーリと２次プーリが完全にアライメントされている状態（即ち、アライメントずれ量がゼロ）を表わす。図は、この特定の実施例においては、変速機はトップ変速比でアライメントされるように構成されることを示す、何故ならばアライメント線４１が曲線４０をトップ変速比において横切っているからである。
【００２７】
大部分の作動時間では、作動中の変速機は、一般的にマニュアル変速機の３番目、４番目及び５番目のギアに相当する、中間（ｉ＝１）とオーバードライブの位置の間の変速比にあることが判っている。従って上述の、変速機がアライメントから外れた場合に変速機ベルト及び／又はプーリシーブの摩耗が減少するという観点から、図３の実施形態では、変速機は、オーバードライブ変速比とトップ変速比の間の変速比範囲で、アライメントから外れるように構成される。言い換えれば、アライメントはオーバードライブ変速比とトップ変速比の間を除くどの変速比で起こってもよい。
【００２８】
このことは、図３において、「禁止領域（Ｐ）」と「許容領域（Ａ）」で示される。この実施例では、２つの許容領域（Ａ１，Ａ２）が存在し、１つの領域はアライメント線４１以下であり、他の１つはアライメント線より上方にある。変速機は、変速比に対する禁止領域（Ｐ）でアライメントされない限り、図３に示すように例えばトップ変速比でアライメントされてもよく、又はより高い変速比、例えば中間変速比でアライメントされてもよい。言い換えれば、アライメント線４１は、曲線４０を禁止領域（Ｐ）で横切らない限り、上方又は下方に偏移可能である。プーリ１，６をシャフト５，１０上に搭載し、そして例えば中間位置からスタートする場合、必要なアライメントずれを得るためには、完全なアライメントの線が２つの許容領域（Ａ１，Ａ２）のいずれかに留まる限り、第１プーリ１の溝の第１中心線１２を第２プーリ６の溝の中心線１３に対して軸方向に移動すればよい。
【００２９】
図４では、他の実施形態におけるアライメントずれ量（Ｓ）が示されている。この実施例では、最小変速比（オーバードライブ）と最大変速比（ロー）の間の全ての可能な変速比において、第１中心線１２と第２中心線１３がアライメントを外れている。図４は１つの禁止領域（Ｐ２）と２つの許容領域Ａ３，Ａ４を示す。結果としてこの実施例では、変速機ベルトの横断要素の偏移及び／又は回転によりもたらされる摩耗の減少が、全ての変速比に対して得られ、それにより変速機のさらなる寿命の延長がもたらされる。
【００３０】
図５では、またさらに異なる実施形態におけるアライメントずれ量（Ｓ）が示されている。この実施例では、第１中心線１２と第２中心線１３がアライメントを外れ、オーバードライブ変速比とトップ変速比の領域でのアライメントずれ量（Ｓ）は既定の閾値、例えば０．０５ｍｍ又は０．１ｍｍより大きい。図３と図５を比べると、図５の禁止領域Ｐ３は図３の禁止領域Ｐより大きい。
【００３１】
図６では別の実施形態におけるアライメントずれ量（Ｓ）が示されている。ある実施形態では第１中心線１２と第２中心線１３がアライメントを外れ、最小と最大の変速比間の全ての変速比においてアライメントずれ量（Ｓ）が閾値、例えば０．７５ｍｍよりも小さい。図６は結果としての禁止領域Ｐ４，Ｐ５を示す。もし他の実施形態において、追加条件として、オーバードライブ変速比とトップ変速比の間で、領域Ｐ（図３参照）においてアライメントが起こらない場合、（１つの代わりに）２つの許容領域Ａ７，Ａ８が存在する。
【００３２】
図６と図７では他の１つの実施形態におけるアライメントずれ量（Ｓ）が示されている。図６で示された実施形態から出発して、更なる条件が、最大力（トップ）変速比においてアライメントずれが、更なる閾値、例えば破線４５で示すように、０．４よりも小さくなければならないとする。線４５が線４４より上に位置し、禁止領域Ｐ４を定める場合、許容領域は変わらない、即ちＡ７である。この状況は図６に示される。図７に示すように線４５が線４４より下に位置すると、許容領域はＡ９に制限される。
【００３３】
本発明は特定の実施形態に関して記載されているが、本発明はこれら実施形態に限定されない。またここに記載されたシステムや方法の変更及び修正は、本発明の範囲から逸脱することなく可能である。請求される権利は請求項に記載される。
【符号の説明】
【００３４】
１：１次プーリ      ２：第１シーブ      ３：第２シーブ
４：プレート        ５：シャフト        ６：２次プーリ    
７：固定シーブ      ８：可動シーブ      ９：固定プレート    
１０：シャフト      １１：無端変速機ベルト    
１２：１次プーリの中心線                １３：２次プーリの中心線    
１８：前側主要面    １９：後側主要面    ２０：ノッチ状突起
２１：穴状窪み      ２２：揺動縁        ２６：接触線
２７：横方向側面    ２８：横断要素      ３０：径方向内側の要素部分
３１：径方向に傾斜した要素部分    
４’，９’：シリンダ室  
【図１】
2012513570.tif 000003
【図２Ａ】
2012513570.tif 000004
【図２Ｂ】
2012513570.tif 000005
【図３】
2012513570.tif 000006
【図４】
2012513570.tif 000007
【図５】
2012513570.tif 000008
【図６】
2012513570.tif 000009
【図７】
2012513570.tif 000010
【国際調査報告】
2012513570.tif 000011
2012513570.tif 000012
2012513570.tif 000013